(57)【要約】【課題】軸の抜け止め構造を簡素化することを可能とする。【解決手段】ベース金具１５に回転可能に支持されると共にベース金具１５に対する収納位置でベース金具１５に離脱回転可能に保持されてベース金具１５に挿入されたタング部材１３の抜け止めが可能なロック金具１７と、ベース金具１５に回転可能に支持されると共にロック金具１７の収納位置でベース金具１５に対しロック金具１７を覆うことが可能なカバー金具１９と、カバー金具１９がロック金具１７を覆う位置でカバー金具１９をベース金具１５に対して離脱回転可能に係止させる解除操作部２３とを備えた分離装置１において、ロック金具１７を、ベース金具１５に支持軸３７により回転支持し、支持軸３７を、ねじ部材４１によりベース金具１５に固定し、ねじ部材４１に、カバー金具１９を回転可能に支持する断面円形の頭部４７を設けたことを特徴とする。【選択図】図６
2008030573.tif 000002
【特許請求の範囲】
【請求項１】
ベース部材に回転可能に支持されると共にベース部材に対するロック位置で該ベース部材に解除操作可能に係合保持されて前記ベース部材に結合された連結具の離脱を阻止する解放部材と、
前記ベース部材に回転可能に支持されると共に前記解放部材の係合保持位置で前記ベース部材に対し解除可能に係合保持され前記解放部材を保護可能な保護部材とを備えた分離装置において、
前記解放部材を、前記ベース部材に支持軸により回転支持し、
前記支持軸を、締結具により前記ベース部材に固定し、
前記締結具に、前記保護部材を回転可能に支持する回転支持部を設けた
ことを特徴とする分離装置。
【請求項２】
請求項１記載の分離装置であって、
前記ベース部材に、前記支持軸の両端部を嵌合支持する支持孔を設け、
前記締結具は、前記支持軸の端部に締結され、
前記回転支持部は、前記支持孔よりも大径の前記締結具の頭部である
ことを特徴とする分離装置。
【請求項３】
請求項１又は２記載の分離装置であって、
前記保護部材が前記解放部材を保護する位置で該保護部材を前記ベース部材に対して離脱回転可能に係止させる解除操作部を設けた
ことを特徴とする分離装置。
【請求項４】
請求項３記載の分離装置であって、
前記解除操作部は、前記保護部材に押圧操作により離脱回転可能に支持された揺動爪と、該揺動爪を係止方向に付勢する付勢部材とで構成された
ことを特徴とする分離装置。
【請求項５】
請求項１〜４の何れかに記載の分離装置であって、
前記解放部材は、ロック爪を有し、
前記連結具は、前記ロック爪と解放部材の回転中心との間でロック爪に係合ロックする係合部を有し、
前記連結具の抜け止め時に前記ロック爪と係合部との噛み合い部と解放部材の回転中心とが抜け止め荷重の作用方向に重なるように設定された      
ことを特徴とする分離装置。
【請求項６】
請求項１〜４の何れかに記載の分離装置であって、
前記解放部材は、ロック爪を有し、
前記連結具は、前記ロック爪と解放部材の回転中心との間でロック爪に係合ロックする係合部を有し、
前記係合部に、前記ロック爪係合離脱時の逃げ部を設けた
ことを特徴とする分離装置。
【請求項７】
請求項４記載の分離装置であって、
前記解除操作部は、前記保護部材が前記ベース部材に対し回転して前記係合保持位置となるとき前記揺動爪を付勢に抗してガイドし前記係止を自動的に行わせるガイド部を備えた
ことを特徴とする分離装置。
【発明の詳細な説明】
【技術分野】
【０００１】
本発明は、パラシュート等に共される分離装置に関する。
【背景技術】
【０００２】
従来、この種の分離装置としては、特許文献１に記載のようなパラシュートに適用したものがある。
【０００３】
この分離装置では、外側回動腕及び内側回動腕を同一軸に回動自在に支持して、支持構造を簡単なものにすることができる。
【０００４】
しかし、外側回動腕及び内側回動腕を単に同一軸で支持するだけでは、軸の抜け止め構造が複雑になる恐れがあった。
【０００５】
【特許文献１】特開２００３−３２７１９９号公報
【発明の開示】
【発明が解決しようとする課題】
【０００６】
解決しようとする問題点は、軸の抜け止め構造が複雑になる恐れがあった点である。
【課題を解決するための手段】
【０００７】
本発明は、軸の抜け止め構造を簡素化するため、ベース部材に回転可能に支持されると共にベース部材に対するロック位置で該ベース部材に解除操作可能に係合保持されて前記ベース部材に結合された連結具の離脱を阻止する解放部材と、前記ベース部材に回転可能に支持されると共に前記解放部材の係合保持位置で前記ベース部材に対し解除操作可能に係合保持され前記解放部材を保護可能な保護部材とを備えた分離装置において、前記解放部材を、前記ベース部材に支持軸により回転支持し、前記支持軸を、締結具により前記ベース部材に固定し、前記締結具に、前記保護部材を回転可能に支持する回転支持部を設けたことを最も主要な特徴とする。
【発明の効果】
【０００８】
本発明は、ベース部材に回転可能に支持されると共にベース部材に対するロック位置で該ベース部材に解除操作可能に係合保持されて前記ベース部材に結合された連結具の離脱を阻止する解放部材と、前記ベース部材に回転可能に支持されると共に前記解放部材の係合保持位置で前記ベース部材に対し解除操作可能に係合保持され前記解放部材を保護可能な保護部材とを備えた分離装置において、前記解放部材を、前記ベース部材に支持軸により回転支持し、前記支持軸を、締結具により前記ベース部材に固定し、前記締結具に、前記保護部材を回転可能に支持する回転支持部を設けたため、支持軸の抜け止めを行う締結具と保護部材の回転支持部とを共用することができ、支持軸の抜け止め構造を簡素化することができる。
【発明を実施するための最良の形態】
【０００９】
軸の抜け止め構造を簡素化するという目的を、締結具に回転支持部を形成して実現した。
【実施例１】
【００１０】
［分離装置の構造］
図１〜図６は、本発明の実施例１に係り、図１は、分離装置を適用したパラシュートを人に装着した状態の概略図、図２（ａ）は、分離装置周辺の正面図、図２（ｂ）は、分離装置周辺の側面図、図３は、ロック部の分離状態を示す斜視図、図４は、ロック部及びタング部材の結合を示す側面図、図５は、ロック部及びタング部材の結合を示す正面図、図６は、タング部材と共に示すロック部の断面図である。
【００１１】
図１のように、分離装置１は、パラシュート３に用いられ、ライザー５及びパラシュートハーネス７に接続されている。ライザー５は、パラシュート３のキャノピー部９に接続されている。パラシュートハーネス７は、パラシュート装着者Ｍに装着固定される。
【００１２】
分離装置１は、図２〜図５のように、ロック部１１及び連結具であるタング部材１３とからなっている。
【００１３】
ロック部１１は、タング部材１３を着脱可能に結合し、タング部材１３との間で荷重伝達を行うと共に、タング部材１３の速やかな分離を可能としている。このロック部１１は、ベース金具１５に、解放部材であるロック金具１７及び保護部材であるカバー金具１９を支持している。
【００１４】
ロック金具１７及びカバー金具１９は、ベース金具１５に同軸状に回転自在に支持されている。タング部材１３の結合状態では、ロック金具１７がベース金具１５及びカバー金具１９間に収納され、カバー金具１９がベース金具１５に両側の解除操作部２３により図２の位置で係合ロックしている。
【００１５】
ロック金具１７には、分離操作用のループワイヤ２５が取り付けられている。
【００１６】
ベース金具１５には、前記パラシュートハーネス７が巻回し結合され、且つパラシュートハーネス７の肩ベルト２９が、ベース金具１５ではなく、支持バー部２７の近傍でパラシュートハーネス７のハーネス本体３１に直接結合されている。肩ベルト２９のハーネス本体３１に対する結合は、例えば縫製で行われている。ベース金具１５には、保持ベルト３３が取り付けられ、肩ベルト２９をベース金具１５に対して支持し、肩ベルト２９がロック部１１から離れないようにしている。
【００１７】
タング部材１３には、ベルトであるライザー５が巻回し結合されている。
【００１８】
［ロック金具及びカバー金具の結合構造］
ロック金具１７及びカバー金具１９の具体的な結合は、図６のようになっている。図６（ａ）は、タング部材と共に示すロック部の断面図、図６（ｂ）は、ベース金具に対するカバー金具の係止を示す要部断面図である。
【００１９】
図６（ａ）のように、ベース金具１５には、支持孔３５が設けられている。支持孔３５に、支持軸３７の両端が嵌合支持されている。この支持軸３７に、ロック金具１７の嵌合孔３９が嵌合し、ロック金具１７が、支持軸３７によりベース金具１５に回転自在に支持されている。
【００２０】
支持軸３７の両端部には、締結具であるねじ部材４１が螺合し、ベース金具１５の締結面４３，４５に対して締結固定され、支持軸３７が、ねじ部材４１によりベース金具１５に固定されている。
【００２１】
すなわち、ねじ部材４１には、断面円形の頭部４７が設けられ、頭部４７の外径は、支持孔３５の内径よりも大径に形成されている。従って、支持軸３７に締結されたねじ部材４１の頭部４７が、ベース金具１５の締結面４３，４５に締結され、支持軸３７の固定及び抜け止めが行われる。
【００２２】
但し、ねじ部材４１の一方を省略し、支持軸３７の一端の径を若干拡大し、頭付きの支持軸とすれば、同様の機能を得ることができる。
【００２３】
ねじ部材４１の締結作業は、頭部４７に形成された多角穴に工具を差し込んで行う。
【００２４】
ねじ部材４１の頭部４７は、カバー金具１９を回転可能に支持する回転支持部を構成し、この頭部４７に、カバー金具１９の貫通孔４９，５１が嵌合し、カバー金具１９が、ロック金具１７と共にベース金具１５に同軸に回転自在に支持された構成となっている。
【００２５】
従って、ロック金具１７を回転自在に支持する支持軸３７の抜け止めを行うねじ部材４１とカバー金具１９の回転支持部とを共用することができ、支持軸３７の抜け止め構造を簡素化することができる。また、ロック金具１７及びカバー金具１９を同軸に回転支持することができ、支持構造を簡素化することができる。
組み付けに際しても、支持軸３７をねじ部材４１により締結固定する工程によりカバー金具１９の組み付けを完了することができ、組み付け作業も容易となる。
【００２６】
このようにして、ロック金具１７は、ベース金具１５に前記のように支持軸２１により回転可能に支持されると共にベース金具１５に対する図４〜図６の収納位置（ロック位置）で該ベース金具１５に解除操作可能に係合保持されてベース金具１５に挿入（結合）されたタング部材１３の抜け止め（離脱阻止）が可能となっている。カバー金具１９は、ベース金具１５にねじ部材４１の頭部４７により回転可能に支持されると共にロック金具１７の収納位置でベース金具１５に対し解除操作可能に係合保持されロック金具１７を覆うことが可能となっている。
【００２７】
［ロック金具及びカバー金具の係合構造］
ロック金具１７のベース金具１５に対する収納位置での係合及びその離脱は、チェックボール構造により行われている。
【００２８】
すなわち、ロック金具１７には、チェック保持孔５３にコイルスプリング５５を介してチェックボール５７が取り付けられチェックボール５７は、ベース金具１５の凹部５９に嵌合している。
【００２９】
従って、図３のようにカバー金具１９を開いた状態でループワイヤ２５を引くと、ロック金具１７をベース金具１５に対して回転させることができ、タング部材１３のロックを解除することができる。
【００３０】
ロック金具１７には、ロック爪６１が設けられ、タング部材１３には、ロック爪６１と該ロック爪６１に係合ロックするロック口６３とが設けられている。ロック爪６１がロック口６３に係合することで、ベース金具１５に対するタング部材１３の係合ロックを行わせることができる。
【００３１】
カバー金具１９をベース金具１５に対して係合及びその離脱を行わせる解除操作部２３は、左右の揺動爪６５，６７及び付勢部材であるリターンスプリング６９，７１により構成されている。
【００３２】
揺動爪６５，６７は、押しボタン部７３及び係合爪部７５を備え、揺動爪６５，６７が軸７７によりベース金具１５に回転自在に支持されている。係合爪部７５は、図６（ｂ）の鎖線図示のようにベース金具１５の係止部としての係止爪部７９の凹部８０に係止され、ロック金具１７を覆う位置でベース金具１５に対して解除可能に係止されている。
【００３３】
リターンスプリング６９，７１は、ベース金具１５のリターン保持孔８１に収容され、揺動爪６５，６７の押しボタン部７３に弾接している。
【００３４】
従って、リターンスプリング６９，７１の付勢力により揺動爪６５，６７は、係合爪部７５が図６（ｂ）のようにベース金具１５の係止爪部７９に係止される。この係止により、カバー金具１９をベース金具１５にロック金具１７を覆う位置で保持させている（係合保持位置）。揺動爪６５，６７は、押しボタン部７３の押圧操作で軸７７を中心にリターンスプリング６９，７１の付勢力に抗して回転する。この回転により係合爪部７５が係止爪部７９から外れ、カバー金具１９をねじ部材４１の頭部４７を中心に図３のように回転させることができる。
【００３５】
前記解除操作部２３は、前記カバー金具１９が前記ベース金具１５に対し回転して前記係合保持位置となるとき前記揺動爪６５，６７をリターンスプリング６９，７１の付勢に抗してガイドし前記係止を自動的に行わせるガイド部として傾斜ガイド面８２，８４を備えている。傾斜ガイド面８２は、係止爪部７９に設けられ、傾斜ガイド面８４は、係合爪部７５に設けられている。但し、傾斜ガイド面８２，８４は、何れか一方に設けるものでも良い。
【００３６】
カバー金具１９をベース金具１５に対し回転させて前記係合保持位置とするとき、図６（ｂ）のように傾斜ガイド面８２，８４が当接して係止爪部７９に対し係合爪部７５をリターンスプリング６９，７１の付勢力に抗して矢印のようにガイドし、最終的にリターンスプリング６９，７１の付勢力により係合爪部７９が係止爪部７９の凹部８０に自動的に係止される。
【００３７】
［セルフロック構造］
図７は、ロック金具とタング部材との係合ロックを示す要部断面図、図８は、同拡大断面図である。
【００３８】
図７のように、ロック口６３の係合部である係合ロック部８３は、ロック金具１７のロック爪６１とロック金具１７の回転中心となる支持軸３７との間で該ロック爪６１に係合ロックしている。
【００３９】
タング部材１３の図７のような抜け止めロック時に前記ロック爪６１と係合ロック部８３との噛み合い部とロック金具１７の回転中心Ｃとが抜け止め荷重の作用方向に重なるように設定されている。係合ロック部８３には、ロック爪６１の係合離脱時の逃げ部８５が設けられている。逃げ部８５は本実施例において幅Ｈ＝１ｍｍ、傾斜角θ＝１５°程度の傾斜面で形成されている。
【００４０】
ロック爪６１と係合ロック部８３との噛み合いは、係合ロック部８３の幅Ｂ内で行われ、実際には逃げ部８５の存在で、幅Ｂ１内で行われる。荷重作用時は、撓みにより点Ｐに荷重が作用すると見て良く、荷重作用部である点Ｐとロック金具１７の回転中心Ｃである支持軸３７の回転中心とが荷重の作用方向に重なるように設定された構成となっている。すなわち、点Ｐと回転中心Ｃとを結ぶ直線方向にライザー５からの荷重が働くように設定されている。
【００４１】
従って、ロック爪６１と係合ロック部８３との間に荷重が作用したとき、点Ｐから回転中心Ｃに荷重が入力され、受け止められるから、ロック金具１７が、回転中心Ｃの回りに荷重による回転モーメントを受けることがなく、ロック状態を維持させることができる。点Ｐを回転中心Ｃに対し図８の右側へ若干ずらすと、荷重作用時にロック金具１７のロック爪６１を係合ロック部８３へロックさせるように回転させ、いわゆるセルフロックを行わせることもできる。
【００４２】
ロック爪６１と係合ロック部８３との係合ロックを外すときは、ロック金具１７を僅かに回転させることでロック爪６１が係合ロック部８３に対して傾斜状態となり、係合ロック部８３からロック爪６１への荷重作用方向が反セルフロック方向となり、ロック金具１７を容易に回転操作し、ロックを外すことができる。
【００４３】
このロック解除動作の時、ロック爪６１が係合ロック部８３に対して傾斜状態となっても、逃げ部８５によりロック爪６１が係合ロック部８３のコーナに当たることがなく、ロック解除動作を円滑に行わせることができる。  
［分離操作］
分離操作に際しては、図２の状態においてカバー金具１９の解除操作部２３を両側から押圧操作し、
カバー金具１９を支持軸３７を中心に図３のように開く。この状態では、図２の位置でタング部材１３をロックしているロック金具１７が露出する。降下者（装着者）は、ロック金具１７のループワイヤ２５を引いて支持軸３７回りに図３の状態となるようにロック金具１７を回転させる。
【００４４】
ロック金具１７を回転させるとロック金具１７のロック爪６１がタング部材１３のロック口６３から外れ、タング部材１３がロック部１１から離脱する。この離脱によりパラシュートハーネス７からライザー５を分離させることができる。
［その他］
上記実施例では、分離装置は、パラシュート以外のものにも適用することができる。
【図面の簡単な説明】
【００４５】
【図１】分離装置を適用したパラシュートを人に装着した状態の概略図である（実施例１）。
【図２】（ａ）は、分離装置周辺の正面図、（ｂ）は、分離装置周辺の側面図である（実施例１）。
【図３】ロック部の分離状態を示す斜視図である（実施例１）。
【図４】ロック部及びタング部材結合の側面図である（実施例１）。
【図５】ロック部及びタング部材結合の正面図である（実施例１）。
【図６】（ａ）は、タング部材と共に示すロック部の断面図、（ｂ）は、ベース金具に対するカバー金具の係止を示す要部断面図である（実施例１）。
【図７】ロック金具とタング部材との係合ロックを示す要部断面図である（実施例１）。
【図８】ロック金具とタング部材との係合ロックを示す要部拡大断面図である（実施例１）。
【符号の説明】
【００４６】
１  分離装置
３  パラシュート
５  ライザー（ベルト）
７  パラシュートハーネス（ベルト）
１１  ロック部
１３  タング部材（連結具）
１５  ベース金具（ベース部材）
１７  ロック金具（解放部材）
１９  カバー金具（保護部材）
２３  解除操作部
４１  ねじ部材（締結具）
４７  頭部（回転支持部）
６５，６７  揺動爪
６９，７１  リターンスプリング（付勢部材）
７９  係止爪部（係止部）
８２，８４  傾斜ガイド面（ガイド部）
８３  係合ロック部（係合部）
８５  逃げ部
Ｍ  パラシュート装着者
【図１】
2008030573.tif 000003
【図２】
2008030573.tif 000004
【図３】
2008030573.tif 000005
【図４】
2008030573.tif 000006
【図５】
2008030573.tif 000007
【図６】
2008030573.tif 000008
【図７】
2008030573.tif 000009
【図８】
2008030573.tif 000010